(57)【要約】【課題】導管内を流れる媒体の少なくとも１つのパラメータを測定するための装置において、差込みセンサを簡単かつ信頼性良く、流体導管部材に固定できるようにする。【解決手段】固定手段が、保持部材（２０）を有しており、該保持部材（２０）が、差込みセンサ（５０）の挿入方向に対してほぼ垂直に、流体導管部材の、差込み開口を取り囲む接続管片に被せ嵌められており、かつ少なくとも１つの第１の区分により、接続管片の支持面に支持されており、かつ少なくとも１つの第２の区分（２５ｂ）により、前緊締力を、差込みセンサの差込み区分とは反対側の、差込みセンサの固定面（５３）に負荷し、これにより、差込みセンサの接触面が、当接面に対して押圧されるようになっているようにした。【選択図】図４ａ
2004340938.tif 000002
【特許請求の範囲】
【請求項１】
導管内を流れる媒体の少なくとも１つのパラメータを測定するための装置であって、該装置が、
−流体導管部材（４０）を有しており、該流体導管部材（４０）が、流体導管貫通孔（４２）を取り囲む壁（４１）を備えており、
−差込みセンサ（５）を有しており、該差込みセンサ（５）が、差込みエレメント（５４）と、壁の差込み開口（４８）を通って流体導管貫通孔（４２）内に挿入される差込み区分（５１）と、流体導管貫通孔内に挿入されない電気的な接続区分（５２）と、流体導管部材の当接面（４７）に接触する接触面（５５）とを備えており、
−差込みセンサ（５０）を流体導管部材（４０）に固定するための固定手段を有している、
形式のものにおいて、固定手段が、保持部材（２０，６０）を有しており、該保持部材（２０，６０）が、差込みセンサ（５０）の挿入方向に対してほぼ垂直に、流体導管部材の、差込み開口（４８）を取り囲む接続管片（４３）に被せ嵌められており、かつ少なくとも１つの第１の区分（２６，６３ａ、６３ｂ）により、接続管片（４３）の支持面（４５１ａ，４５１ｂ，４４ａ）に支持されており、かつ少なくとも１つの第２の区分（２５ａ，２５ｂ，６２ａ，６２ｂ）により、前緊締力を、差込みセンサの差込み区分（５１）とは反対側の、差込みセンサの固定面（５３）に負荷し、これにより、差込みセンサの接触面（５５）が、当接面（４７）に対して押圧されるようになっていることを特徴とする、導管内を流れる媒体の少なくとも１つのパラメータを測定するための装置。
【請求項２】
保持部材（２０，６０）が、固定面（５３）に上から係合する少なくとも１つの脚部（２１ａ，２１ｂ，６１ａ，６１ｂ）を有しており、該脚部が、差込みセンサの挿入方向に対してほぼ垂直に、接続管片（４３）の案内手段（４５ａ，４５ｂ，４４）内に挿入されている、請求項１記載の装置。
【請求項３】
保持部材（２０，６０）が、結合ウェブ（２９，６９）を介して結合された２つの脚部（２１ａ，２１ｂ，６１ａ，６１ｂ）を有している、請求項２記載の装置。
【請求項４】
接続管片（４３）に配置された固定部材（１０，３０）が設けられており、該固定部材（１０，３０）が、保持部材（２０，６０）の、案内手段（４５ａ，４５ｂ，４４）内に挿入された脚部（２１ａ，２１ｂ）と次の形で係合している、すなわち、保持部材が、接続管片からの引き離しに抗して固定されている形で係合している、請求項２又は３記載の装置。
【請求項５】
固定部材（１０，３０）が、接続管片（４３）に解離不能に固定されており、特に係止手段（３１，３３）により、接続管片（４３）に形成された対応係止手段（４９ｂ）内に解離不能に係合している、請求項４記載の装置。
【請求項６】
脚部（２１ａ，２１ｂ，６１ａ，６１ｂ）の終端部に、保持手段（２３ａ，２３ｂ，６５ａ，６５ｂ）、特にはと目又は鉤が設けられており、これらのはと目又は鉤内に、固定部材（１０，３０）の、特に突出部又は鉤の形で形成された係合手段（１２ａ，１２ｂ，３２ａ，３２ｂ）が係合するようになっている、請求項３から５までのいずれか１項記載の装置。
【請求項７】
接続管片（４３）が、保持部材（２０）の脚部（２１ａ，２１ｂ）のための案内手段（４５ａ，４５ｂ）として、スリットを有している（図３、図４ａ）、請求項２記載の装置。
【請求項８】
保持部材（２０）が、接続管片（４３）のスリット（４５ａ，４５ｂ）内に挿入可能な少なくとも１つのばね弾性的な脚部（２１ａ，２１ｂ）を備えたスプリングワイヤＵ字形部材により形成されており、このスプリングワイヤＵ字形部材が、少なくとも第１の区分（２６）によって、スリット（４５ａ，４５ｂ）の支持面（４５１ａ，４５１ｂ）に接触し、かつ差込みセンサ（５０）の固定面（５３）の方へ突出する少なくとも１つの第２の区分（２５ａ，２５ｂ）によって、固定面（５３）に押圧されるようになっている（図４ａ）、請求項７記載の装置。
【請求項９】
接続管片（４３）が、フランジ（４４）を有しており、保持部材（６０）の、少なくとも１つの脚部（６１ａ，６１ｂ）が、差込みセンサ（５０）の固定面（５３）に接触する第１の区分（６２ａ，６２ｂ）と、前記フランジ（４４）を後ろから係合する第２の区分（６３ａ，６３ｂ）とを有している（図７ａ、図８、図９）、請求項２記載の装置。
【請求項１０】
脚部（６１ａ，６１ｂ）の第１の区分に、ばねエレメントが形成されており、該ばねエレメントが、プレロード下で固定面に接触し、かつ／又は脚部の第２の区分（６３ａ，６３ｂ）に、ばねエレメント（６７ａ，６７ｂ）が形成されており、該ばねエレメント（６７ａ，６７ｂ）が、プレロード下で、フランジ（４４）の、流体導管部材（４０）に向いている方のフランジ面（４４ｂ）に接触する（図９、図１０）、請求項９記載の装置。
【請求項１１】
保持部材（６０）が、打抜き曲げ部材として形成されている、請求項９又は１０記載の装置。
【発明の詳細な説明】
【技術分野】
【０００１】
本発明は、導管内を流れる媒体の少なくとも１つのパラメータを測定するための装置であって、導管内を流れる媒体の少なくとも１つのパラメータを測定するための装置であって、この装置が流体導管部材を有しており、この流体導管部材が、流体導管貫通孔を取り囲む壁を備えており、前記装置が差込みセンサを有しており、この差込みセンサが、差込みエレメントと、壁の差込み開口を通って流体導管貫通孔内に挿入される差込み区分と、流体導管貫通孔内に挿入されない電気的な接続区分と、流体導管部材の当接面に接触する接触面とを備えており、前記装置が、差込みセンサを流体導管部材に固定するための固定手段を有している形式のものに関する。
【背景技術】
【０００２】
この形式の、例えば内燃機関のインテークマニホールド内の空気質量流れを測定するための装置が、ドイツ連邦共和国特許公開第４４２６１０１号明細書につき公知である。この公知の装置では、流体導管部材の差込み開口に挿入された差込みセンサが、ねじにより流体導管部材に固定される。
【特許文献１】ドイツ連邦共和国特許公開第４４２６１０１号明細書
【発明の開示】
【発明が解決しようとする課題】
【０００３】
本発明の課題は、上記のような導管内を流れる媒体の少なくとも１つのパラメータを測定するための装置において、差込みセンサを簡単かつ信頼性良く、流体導管部材に固定できるようにすることである。
【課題を解決するための手段】
【０００４】
この課題を解決した本発明の手段によれば、流体導管部材が、差込みセンサをこの流体導管部材に固定するための固定手段を有して折り、差込みセンサが、流体導管部材の当接面に接触する接触面を有している。
【発明の効果】
【０００５】
上記手段により、本発明の装置は次のような利点を有している。すなわち、差込みセンサは、流体導管部材の接続管片に被せ嵌め可能な保持部材により、迅速かつ信頼性良く流体導管部材に固定することができる。差込みセンサの組付けは、わずかな単純に実施可能なステップに限定されている。差込みセンサを流体導管部材に固定するためには、差込みセンサを差込み開口内に側方から挿入した後に、保持部材が接続管片に側方から被せ嵌められるだけでよい。この保持部材は非常に安価で、例えば打抜き曲げ部材又はスプリングワイヤＵ字形部材の形で製造することができる。差込みセンサには固定面のみが必要であり、特殊な固定手段は必要なく、これにより、差込みセンサの使用は、保持部材の具体的な構成には無関係であり、差込みセンサは他の形で挿入することもできる。
【０００６】
本発明の有利な実施例及び発展形が、従属請求項に記載の特徴により可能になる。
【０００７】
有利には、保持部材は、差込みセンサの固定面を上から係合する少なくとも１つの脚部を有しており、この脚部は、差込みセンサの挿入方向に対してほぼ垂直に、接続管片の案内手段内に押し込まれている。保持部材は１つの脚部のみを必要とするが、有利な実施例では、保持部材が結合ウェブを介して結合された２つの脚部を有している。
【０００８】
接続管片に配置された固定部材が設けられており、この固定部材が、案内手段内に押し込まれた、保持部材の脚部と次の形で係合している場合、すなわち、保持部材が、接続管片からの引き離しに抗して固定されている場合、特に有利である。保持部材の誤った滑落はこのようにして信頼性良く防止される。
【０００９】
固定部材が解離不能に接続管片に固定されていることにより、有利には、差込みセンサが固定手段の同時的な破壊時にのみ差込み開口から取り外され得るようになっていることが達成される。流体導管部材内に配置された調整されたセンサの、権限のない者による操作は、これにより、有利に識別可能である。
【発明を実施するための最良の形態】
【００１０】
次に本発明の実施例を図面につき説明する。図１、図２、図３、図４及び図５は、本発明の第１実施例を示しており、図６ａ〜図１１までは第２実施例を示している。
【００１１】
図３は流体導管部材４０を示している。この流体導管部材４０は、例えば内燃機関のインテークマニホールド内に組み込むことができる。流体導管部材４０は、例えば円筒状の壁４１を備えた円筒状管の形で形成されており、この壁４１は流体導管貫通孔４２を取り囲んでいる。運転時には、空気が流体導管貫通孔４２を通って流れる。流体導管部材４０は、さらにフィルタ（図示しない）を有しており、例えばエアフィルタケース嵌込み部の形で吸入導管内に組み込まれる。壁４１は、接続管片４３により取り囲まれた差込み開口４８を有しており、この差込み開口４８には、差込みセンサが差込み可能になっている。接続管片４３は、カラー状のフランジ４４を有しており、このフランジ４４内には、保持部材２０のための案内手段として２つのスリット４５ａ，４５ｂが形成されている。
【００１２】
カバー部材を取り外された差込みセンサ５０が、図５に示されている。この場合、例えばパラメータとして、流体導管貫通孔４２内を流れる空気の質量貫流を検出する空気質量測定器である。もちろん、導管内を流れる媒体の別のパラメータを検出する別のセンサも使用可能である。媒体は、液状又はガス状であってよい。差込みセンサ５０はバイパス流路を備えた差込み区分５１を有しており、このバイパス流路には、センサエレメント５４本体が配置されている。このセンサエレメント５４は、差込みセンサ５０内に配置された電子的な評価回路に接続されており、この評価回路の接続部は、差込みセンサの電気的な接続区分５２に案内されており、この接続区分５２は外部のコネクタに接続することができる。差込みセンサは、差込み区分５１と接続区分５２の間に周を取り囲むカラーを有しており、このカラーの下側の面は、流体導管部材４０の当接面４７に接触するための接触面５５を形成しており、かつ上側の面は、以下にさらに説明するように、保持部材に接触するための固定面５３を形成している。接触面５５は、周を取り囲むシールによって形成することもできる。差込みセンサ５０は、接触面５５が当接面４７に接触するまで流体導管部材４０の差込み開口４８内に挿入される。
【００１３】
固定手段としては保持部材２０が設けられており、この保持部材２０は、図２ａ及び図２ｂに示されており、スプリングワイヤＵ字形部材の形で形成されている。この保持部材２０は結合ウェブ２９を有しており、この結合ウェブ２９からは２つの脚部２１ａ，２１ｂが一方向に突出している。図２ｂに示したように、脚部は交互に湾曲されており、それぞれ結合ウェブ２９に結合された少なくとも１つの第１の区分２６と、突出する第２の区分２５ａ，２５ｂとを有している。脚部の終端部ははと目の形の保持手段２３ａ，２３ｂを形成している。
【００１４】
図４ａ及び図４ｂに示したように、保持部材２０の脚部２１ａ，２１ｂはフランジ４４のスリット４５ａ，４５ｂ内に挿入され、これにより、脚部２１ａ，２１ｂは、差込みセンサ５０の固定面５３に上から係合し、第２の区分２５ａ，２５ｂによって、固定面５３に接触する。保持部材２０の挿入後に、脚部の第１の区分２６は、流体導管部材に向いていない側に支持面４５１ａ，４５１ｂの形で設けられた、スリット４５ａ，４５ｂの内面で支持される。脚部の第２の区分２５ａ，２５ｂは、挿入時に自動的に固定面５３に対してプレロードされ、これにより、接触面５３は保持部材の緊締力により当接面４７に押圧される。保持部材の終端位置では、有利には、この保持部材の結合ウェブ２９はフランジ４４に接触しており、結合ウェブ２９とは反対側の保持手段２３ａ，２３ｂは、フランジ４４の、向かい側に位置する終端部でスリット４５ａ，４５ｂ内に配置されている。フランジ４４は、この場所に、差込みセンサの差込み方向に延びる貫通開口４６ａ，ｂを有しており、この貫通開口４６ａ，ｂ内には、固定部材１０の係合手段１２ａ，１２ｂが挿入可能になっている。差込みセンサは、既に保持部材によって流体導管貫通孔に固定されているので、固定部材１０は必ずしも必要ではないが、固定部材の使用は有利な発展形である。
【００１５】
固定部材１０は図１ａ、図１ｂ、図２ｃ及び図２ｄに示されている。この固定部材１０は、有利にはプラスチック成形部材の形で製造されており、ウェブ１１を有しており、このウェブ１１からは、ピン状の２つの係合手段１２ａ，１２ｂと係止鉤１３と脚部１４とが一方向に突出している。前記固定部材１０は、差込みセンサ５０の差込み方向に、フランジ４４の上面内に差し込まれ、この場合に、係合手段１２ａ，１２ｂは貫通開口４６内に進入し、保持部材２０の保持手段２３ａ，２３ｂ内に係合する。この場合、係止鉤１３と脚部１４とは、係止鉤１３が開口４９内に形成された対応係止手段（図示しない）を逆鉤状に後ろから把持するまで、フランジの開口４９内に挿入される。図４ａ及び図４ｂに示した組付け位置では、固定部材１０はもはや解離可能に接続管片４３に結合されており、保持部材のはと目内に係合し、これにより、保持部材は、固定部材を破壊することなしには接続管片から引き離され得ないようになっている。
【００１６】
本発明による装置の第２実施例が図６ａ、図６ｂ、図６ｃ、図６ｄ、図７ａ、図７ｂ、図７ｃ、図７ｄ、図８、図９ａ、図９ｂ及び図９ｃに示されている。図８に示したように、流体導管部材４０は接続管片４３を有しており、この接続管片４３は、カラー状のフランジ４４を有している。このフランジ４４は、保持部材６０を被せ嵌めるための案内手段として、上側のフランジ面４４ａと下側のフランジ面４４ｂとを有している。接続管片４３の内壁は、第１実施例の場合のように、差込み開口４８を取り囲む、差込みセンサ５０のための当接面４７を有している。フランジ４４は、さらに側方の突出部を備えており、この突出部には開口４９が形成されている。差込みセンサとしては、図５に示した第１実施例の差込みセンサを差込み開口４８内に差し込むことができる。
【００１７】
保持部材６０は図７ａ，図７ｂ，図７ｃ及び図７ｄに示されており、有利には薄板から成る打抜曲げ部材の形で製造されている。この保持部材６０は、２つのまっすぐな脚部６１ａ，６１ｂと、これらの脚部６１ａ，６１ｂを結合する結合ウェブ６９とを備えたＵ字形の基本形を有している。脚部６１ａ，６１ｂは、結合ウェブ２９から直角に折り曲げられており、この結合ウェブ６９から突出した終端部６４ａ，６４ｂには、鉤状の保持手段６５ａ，６５ｂを有している。それぞれの脚部６１ａ，６１ｂは、上側には、有利には直角に折り曲げられた少なくとも１つの第１の区分６２ａ，６２ｂを有しており、かつ下側には、有利には直角に折り曲げられた少なくとも１つの第２の区分６３ａ，６３ｂを有している。第１の区分６２ａ，６２ｂは、有利には滑り面６８ａ，６８ｂを備えていてよい。これらの滑り面６８ａ，６８ｂは、接続管片４３のフランジ４４への保持部材６０の摺動を簡易化する。脚部６１ａ，６１ｂの第２の区分６３ａ，６３ｂはばねエレメント６７ｂを備えており、これらのばねエレメント６７ｂは、打抜き加工と撓曲とによって第２の区分６３ａ，６３ｂと一体的に形成されている。
【００１８】
差込みセンサ５０の組付け時には、この差込みセンサ５０は、まず、接触面５５が当接面４７に接触するまで、差込み開口４８内へ導入される。次いで、保持部材６０が側方からフランジ４４に被せ嵌められる。この場合に、脚部６１ａ，６１ｂの第１の区分６２ａ，６２ｂの滑り面６８ａ，６８ｂは、差込みセンサの固定面５３を介して滑り、第２の区分６３ａ，６３ｂは、支持面として設けられたフランジ面４４ｂを後ろから把持し、ばねエレメント６７ｂは下側のフランジ面４４ｂに対してプレロードをかけられる。このことは、図９ａ，図９ｂから最も良く判る。ばねエレメント６７ｂの緊締力により、脚部６１ａ，６１ｂの第１の区分６２ａ，６２ｂは、固定面５３に対して押圧され、これにより、差込みセンサ５０は、接触面５５により当接面４７に対して押圧され、これにより、差込み開口４８内に固定される。もちろん固定面５３を介して滑る第１の区分６２ａ，６２ｂだけにばねエレメントが設けられているか、又は第１の区分６２ａ，６２ｂにも第２の区分６３ａ，６３ｂにもばねエレメントが設けられているようにすることも可能である。しかしながら、保持部材６０に形成されたばねエレメントは、例えば、差込みセンサの接触面５５に載置されたシールリングの弾性的な緊締力を利用することにより、完全に省略することもできる。この場合、固定面５３は、脚部６１ａ，６１ｂの第１の区分６２ａ，６２ｂにより差込み開口内に押圧され、これにより、シールリングは接触面５５と当接面４７との間に弾性的に圧縮されるので、この場合には第１の区分６２ａ，６２ｂからも、緊締力が差込みセンサ５０の差込み区分５１に向いていない方の固定面５３に負荷される。
【００１９】
固定部材３０の第２の実施例が図６ａ、図６ｂ、図６ｃ及び図６ｄに示されている。固定部材３０はプラスチック成形部材として形成されており、面３８を有しており、この面３８からは、前壁３９と側壁３６ａ，３６ｂとが直角に突出している。側壁３６ａ，３６ｂにはスリット３７ａ，３７ｂが設けられており、これらのスリット３７ａ，３７ｂにはウェブ３２が配置されている。ウェブ３２ａ，３２ｂと係止鉤３３とは、面３８に対して垂直に前壁３９から突出している。固定部材３０を接続管片４３のフランジ４４に差し込む場合に、係止鉤３３は開口４９内に係合し、開口４９に配置された対応係止手段４９ｂ（図８）の後方で逆鉤状に広がる。同時に、固定部材３０のウェブ３２ａ，３２ｂは、保持部材６０の脚終端部の鉤状の保持手段６５ａ，６５ｂ内に係合し、これにより、保持部材６０はフランジ４４からの引き離しに抗して固定されている。固定部材３０の前壁３９は、開口４９を備えた突出部を外側方向へカバーするので、係止鉤３３の解除は不可能になっている。有利には、この実施例においても、流体導管部材からの差込みセンサの取外しは、固定部材３０の破壊によってのみ可能であり、これにより、差込みセンサの操作を除外することができる。
【図面の簡単な説明】
【００２０】
【図１ａ】第１実施例の固定部材を示す斜視図である。
【００２１】
【図１ｂ】第１実施例の固定部材を示す平面図である。
【００２２】
【図１ｃ】図１ｂのＡ−Ａ線に沿った横断面図である。
【００２３】
【図１ｄ】第１実施例の固定部材を示す正面図である。
【００２４】
【図２ａ】第１実施例の保持部材を示す平面図である。
【００２５】
【図２ｂ】第１実施例の保持部材を示す側面図である。
【００２６】
【図３】第１実施例の流体導管部材を差込みセンサなしで示す図である。
【００２７】
【図４ａ】第１実施例の流体導管部材を差込みセンサと共に示す斜視図である。
【００２８】
【図４ｂ】第１実施例の流体導管部材を差込みセンサと共に示す平面図である。
【００２９】
【図５】第１及び第２実施例のための差込みセンサを示す図である。
【００３０】
【図６ａ】第２実施例の固定部材を示す斜視図である。
【００３１】
【図６ｂ】第２実施例の固定部材を示す平面図である。
【００３２】
【図６ｃ】図６ｂのＡ−Ａ線に沿った横断面図で在る。
【００３３】
【図６ｄ】図６ｂのＢ−Ｂ線に沿った横断面図である。
【００３４】
【図７ａ】第２実施例の保持部材を示す斜視図である。
【００３５】
【図７ｂ】第２実施例の保持部材を示す平面図である。
【００３６】
【図７ｃ】第２実施例の保持部材を示す側面図である。
【００３７】
【図７ｄ】第２実施例の保持部材を示す平面図である。
【００３８】
【図８】第２実施例の流体導管部材を差込みセンサなしで示す図である。
【００３９】
【図９ａ】第２実施例のための、差込みセンサを備えた流体導管部材を示す側面図である。
【００４０】
【図９ｂ】第２実施例のための、差込みセンサを備えた流体導管部材を示す平面図である。
【００４１】
【図９ｃ】第２実施例のための、差込みセンサを備えた流体導管部材を示す側面図である。
【符号の説明】
【００４２】
１０  固定部材、    １１  ウェブ、    １２ａ，１２ｂ  係合手段、    １３  係止鉤、    １４  脚部、    ２０  保持部材、    ２１ａ，２１ｂ  脚部、    ２３ａ，２３ｂ  保持手段、    ２５ａ，２５ｂ  区分、    ２６  区分、    ２９  結合ウェブ、    ３０  固定部材、    ３２ａ，３２ｂ  ウェブ、    ３３  係止鉤、    ３６ａ，３６ｂ側壁、    ３７ａ，３７ｂ  スリット、    ３８  面、    ３９  前壁、    ４０  流体導管部材、    ４１  壁、    ４２  流体導管貫通孔、    ４３  接続管片、    ４４  フランジ、    ４５ａ，４５ｂ  スリット、    ４６ａ，４６ｂ  貫通開口、    ４７  当接面、    ４８  差込み開口、    ４９  開口、４９ａ    対応係止手段、    ５０  差込みセンサ、    ５１  差込み区分、    ５２  接続区分、    ５３  固定面、    ５４  センサエレメント、    ５５  接触面、    ６０  保持部材、    ６１ａ，６１ｂ  脚部、    ６２ａ，６２ｂ  区分、    ６３ａ，６３ｂ  区分、    ６４ａ，６４ｂ  終端部、    ６５ａ，６５ｂ  保持手段、    ６７ｂ  ばねエレメント、    ６８ａ，６８ｂ  滑り面、    ６９  結合ウェブ、    ４５１ａ，４５１ｂ  支持面
【図１ａ】
2004340938.tif 000003
【図１ｂ】
2004340938.tif 000004
【図１ｃ】
2004340938.tif 000005
【図１ｄ】
2004340938.tif 000006
【図２ａ】
2004340938.tif 000007
【図２ｂ】
2004340938.tif 000008
【図３】
2004340938.tif 000009
【図４ａ】
2004340938.tif 000010
【図４ｂ】
2004340938.tif 000011
【図５】
2004340938.tif 000012
【図６ａ】
2004340938.tif 000013
【図６ｂ】
2004340938.tif 000014
【図６ｃ】
2004340938.tif 000015
【図６ｄ】
2004340938.tif 000016
【図７ａ】
2004340938.tif 000017
【図７ｂ】
2004340938.tif 000018
【図７ｃ】
2004340938.tif 000019
【図７ｄ】
2004340938.tif 000020
【図８】
2004340938.tif 000021
【図９ａ】
2004340938.tif 000022
【図９ｂ】
2004340938.tif 000023
【図９ｃ】
2004340938.tif 000024